(57)【要約】【課題】着脱が容易であり、心電位信号や血液の酸素飽和度などの生体情報を無拘束に検出することができる生体情報検出装置を提供する。【解決手段】被験者の頸部後方に沿って装着可能なネックバンド１１と、ネックバント１１に設けられ、被験者がネックバンド１１を装着した場合に被験者の頸部に接触して生体情報を検出する生体情報検出部１２と、生体情報検出部１２が検出した生体情報を出力する生体情報出力部１３と、を備える。【選択図】図１
2007202939.tif 000002
【特許請求の範囲】
【請求項１】
被験者の頸部後方に沿って装着可能なネックバンドと、
前記ネックバントに設けられ、被験者が前記ネックバンドを装着した場合に被験者の頸部に接触して生体情報を検出する生体情報検出部と、
前記生体情報検出部が検出した生体情報を出力する生体情報出力部と、を備えたネックバンド型の生体情報検出装置。
【請求項２】
前記生体情報検出部は、
被験者の頸動脈に向けて光を発光する発光手段と、
前記発光手段から出射され、前記頸動脈で反射された光を受光する受光手段と、を有する、請求項１記載のネックバンド型の生体情報検出装置。
【請求項３】
前記生体情報検出部は、
前記受光手段によって受光された光から前記頸動脈での光の透過度を算出する透過度算出手段と、
前記透過度算出手段が算出した透過度から前記頸動脈の血液の酸素飽和度を算出する酸素飽和度算出手段と、をさらに有し、
前記生体情報は血液の酸素飽和度である、請求項２記載の生体情報検出装置。
【請求項４】
前記生体情報検出部は、
前記ネックバンドの両端に設けられた２個の関電極と、
前記ネックバンドの中央に設けられた１個の不関電極と、を有する、請求項１記載のネックバンド型の生体情報検出装置。
【請求項５】
前記生体情報検出部は、前記関電極と前記不関電極とを用いて、被験者の心電位信号を測定する測定手段をさらに有し、
前記生体情報は心電位信号である、請求項４記載のネックバンド型の生体情報検出装置。
【請求項６】
前記ネックバンドに設けられ、被験者の口腔または咽喉で発生する音を電気信号に変換するマイクロフォンと、
前記マイクロフォンからの電気信号を出力する音声出力部と、をさらに備えた請求項１から請求項５のいずれか記載のネックバンド型の生体情報検出装置。
【請求項７】
前記ネックバンドに設けられ、被験者の姿勢に関する情報である姿勢情報を取得する姿勢情報取得部と、
前記姿勢情報取得部が取得した姿勢情報を出力する姿勢情報出力部と、をさらに備えた、請求項１から請求項６のいずれか記載のネックバンド型の生体情報検出装置。
【請求項８】
前記ネックバンドに設けられ、被験者の動きに関する情報である動き情報を取得する動き情報取得部と、
前記動き情報取得部が取得した動き情報を出力する動き情報出力部と、をさらに備えた、請求項１から請求項７のいずれか記載のネックバンド型の生体情報検出装置。
【発明の詳細な説明】
【技術分野】
【０００１】
本発明は、被験者から生体情報を検出する生体情報検出装置に関する。
【背景技術】
【０００２】
従来、心電位信号等の生体情報を検出することによって、心臓等の生体の検査が行われていた。そのような生体情報を検出する方法において、無拘束に生体情報を検出する方法も開発されている（例えば、特許文献１参照）。
【特許文献１】特開２００１−３４０３１１号公報（第１頁、第１図等）
【発明の開示】
【発明が解決しようとする課題】
【０００３】
しかしながら、従来例では、生体情報を検出する装置の着脱が容易でないという問題があった。例えば、上記特許文献１の場合には、下着に生体情報の検出装置を設けているため、その検出装置の設けられていない下着を着ている場合には、検出装置を装着するために下着を着替えなければならなかった。その検出装置をはずす場合にも下着を着替えなければならなかった。
【０００４】
本発明は、上記問題点を解決するためになされたものであり、着脱が容易であり、無拘束に生体情報を検出することができる生体情報検出装置を提供することを目的とする。
【課題を解決するための手段】
【０００５】
上記目的を達成するため、本発明による生体情報検出装置は、被験者の頸部後方に沿って装着可能なネックバンドと、前記ネックバントに設けられ、被験者が前記ネックバンドを装着した場合に被験者の頸部に接触して生体情報を検出する生体情報検出部と、前記生体情報検出部が検出した生体情報を出力する生体情報出力部と、を備えたネックバンド型のものである。
【０００６】
このような構成により、着脱が容易な生体情報検出装置を実現することができる。また、無拘束に、また比較的無意識に生体情報を検出することができる。その結果、長時間の生体情報の検出も可能となりうる。そして、長時間検出された生体情報を用いることにより、被験者の健康状態等をより詳細に診断することができうる。また、生体情報の検出に起因する、被験者に与えるストレス等の影響を軽減することができうる。さらにまた、被験者の頸部に生体情報検出装置を装着するため、襟のある服を着ている被験者や、髪の長い被験者の場合には、生体情報検出装置を装着していることが外部から気づかれにくいというメリットもある。
【０００７】
また、本発明による生体情報検出装置では、前記生体情報検出部は、被験者の頸動脈に向けて光を発光する発光手段と、前記発光手段から出射され、前記頸動脈で反射された光を受光する受光手段と、を有してもよい。
このような構成により、被験者の脈拍数や、血液の酸素飽和度などを生体情報として検出することができうる。
【０００８】
また、本発明による生体情報検出装置では、前記生体情報検出部は、前記受光手段によって受光された光から前記頸動脈での光の透過度を算出する透過度算出手段と、前記透過度算出手段が算出した透過度から前記頸動脈の血液の酸素飽和度を算出する酸素飽和度算出手段と、をさらに有し、前記生体情報は血液の酸素飽和度であってもよい。
このような構成により、被験者の血液の酸素飽和度を生体情報として検出することができる。
【０００９】
また、本発明による生体情報検出装置では、前記生体情報検出部は、前記ネックバンドの両端に設けられた２個の関電極と、前記ネックバンドの中央に設けられた１個の不関電極と、を有してもよい。
このような構成により、被験者の心電位信号を生体情報として検出することができうる。
【００１０】
また、本発明による生体情報検出装置では、前記生体情報検出部は、前記関電極と前記不関電極とを用いて、被験者の心電位信号を測定する測定手段をさらに有し、前記生体情報は心電位信号であってもよい。
このような構成により、被験者の心電位信号を生体情報として検出することができる。
【００１１】
また、本発明による生体情報検出装置では、前記ネックバンドに設けられ、被験者の口腔または咽喉で発生する音を電気信号に変換するマイクロフォンと、前記マイクロフォンからの電気信号を出力する音声出力部と、をさらに備えてもよい。
このような構成により、被験者の生体情報と共に、被験者の発した音声も取得することができ、それらを用いることによって各種の処理を行うことができうる。
【００１２】
また、本発明による生体情報検出装置では、前記ネックバンドに設けられ、被験者の姿勢に関する情報である姿勢情報を取得する姿勢情報取得部と、前記姿勢情報取得部が取得した姿勢情報を出力する姿勢情報出力部と、をさらに備えてもよい。
【００１３】
このような構成により、被験者の生体情報と共に、被験者の姿勢を示す姿勢情報も取得することができ、それらを用いることによって各種の処理を行うことができうる。
【００１４】
また、本発明による生体情報検出装置では、前記ネックバンドに設けられ、被験者の動きに関する情報である動き情報を取得する動き情報取得部と、前記動き情報取得部が取得した動き情報を出力する動き情報出力部と、をさらに備えてもよい。
【００１５】
このような構成により、被験者の生体情報と共に、被験者の動きを示す動き情報も取得することができ、それらを用いることによって各種の処理を行うことができうる。
【発明の効果】
【００１６】
本発明による生体情報検出装置によれば、生体情報検出装置をネックバンド型とすることによって着脱が容易となる。また、無拘束に生体情報を取得することができる。さらに、被験者の頸部に生体情報検出装置を装着するため、襟のある服を着ている被験者や、髪の長い被験者の場合には、生体情報検出装置を装着していることが外部から気づかれにくいというメリットもある。
【発明を実施するための最良の形態】
【００１７】
以下、本発明による生体情報検出装置について、実施の形態を用いて説明する。なお、以下の実施の形態において、同じ符号を付した構成要素は同一または相当するものであり、再度の説明を省略することがある。
【００１８】
（実施の形態１）
本発明の実施の形態１による生体情報検出装置について、図面を参照しながら説明する。
図１は、本実施の形態による生体情報検出装置１の構成を示す図である。図１において、本実施の形態による生体情報検出装置１は、ネックバンド１１と、生体情報検出部１２と、生体情報出力部１３とを備える。
【００１９】
ネックバンド１１は、被験者の頸部後方に沿って装着可能なものである。すなわち、ネックバンド１１は、被験者の一方の頸部側方から他方の頸部側方まで、被験者の頸部後方を介して装着されることになる。ネックバンド１１は、内側に縮むように付勢されている。したがって、被験者がネックバンド１１を装着した場合に、ネックバンド１１が被験者の頸部に接触することによって、ネックバンド１１の位置が被験者の頸部に保たれることになる。そのネックバンド１１は、被験者が容易に着脱可能である。このようなネックバンド１１は、ネックバンド型のマイクロフォン等として従来から知られており、その詳細な説明を省略する。なお、ネックバンド１１は、アジャスト機構等によってその長さを調整することにより、様々な太さの頸部に対応可能なようにしてもよい。また、ネックバンド１１は、頸部後方に沿って装着可能であれば、頸部前方でつながっている形態であってもよい。すなわち、頸部におけるベルトのような形態であってもよい。
【００２０】
生体情報検出部１２は、ネックバンド１１に設けられ、被験者がネックバンド１１を装着した場合に被験者の頸部に接触して生体情報を検出する。ここで、生体情報は、被験者の生体に関する情報であれば、その内容を問わない。例えば、被験者の血液に関する光の透過度であってもよく、その光の透過度の変化から得られる脈拍数でもよく、その光の透過度から得られる血液の酸素飽和度（ＳｐＯ２）であってもよく、心電位信号であってもよく、血液に関する光の透過度や心電位信号を算出するために用いられる電圧信号等であってもよい。本実施の形態では、生体情報検出部１２は、生体情報として、血液の酸素飽和度を検出するものとする。後述する実施の形態２では、生体情報検出部１２が、生体情報として、心電位信号を検出する場合について説明する。
【００２１】
生体情報出力部１３は、生体情報検出部１２が検出した生体情報を出力する。ここで、この出力は、例えば、表示デバイス（例えば、ＣＲＴや液晶ディスプレイなど）への表示でもよく、所定の機器への有線あるいは無線の通信回線を介した送信でもよく、プリンタによる印刷でもよく、スピーカによる音声出力でもよく、記録媒体への蓄積でもよく、出力端子を介して他の機器等に生体情報を伝えることでもよい。なお、生体情報出力部１３は、出力を行うデバイス（例えば、表示デバイスやプリンタなど）を含んでもよく、あるいは含まなくてもよい。また、生体情報出力部１３は、ハードウェア（表示デバイスや通信デバイス、出力端子等）によって実現されてもよく、あるいは、それらのデバイスを駆動するドライバ等のソフトウェアによって実現されてもよい。
【００２２】
なお、図１では、ネックバンド１１の一端に生体情報検出部１２が設けられ、他端に生体情報出力部１３が設けられる構成について示しているが、これに限定されないことは言うまでもない。生体情報検出部１２、及び生体情報出力部１３は、それらの機能を発揮することができるのであれば、ネックバンド１１のいずれの位置に設けられていてもよい。
【００２３】
図２は、生体情報検出部１２の構成を示すである。図２において、生体情報検出部１２は、発光手段２１と、受光手段２２と、透過度算出手段２３と、酸素飽和度算出手段２４とを備える。
【００２４】
発光手段２１は、被験者の頸動脈に向けて光を発光する。発光手段２１は、例えば、発光ダイオード（ＬＥＤ）等であってもよく、光を発する他の構成であってもよい。
【００２５】
受光手段２２は、発光手段２１から出射され、被験者の頸動脈で反射された光を受光する。受光手段２２は、例えば、フォトディテクター等であってもよく、光を受光する他の構成であってもよい。
【００２６】
発光手段２１、及び受光手段２２は、外光の影響を受けないように、それぞれ被験者の頸部に密接するように構成されることが好ましい。例えば、発光手段２１、及び受光手段２２の被験者と反対側に、軟性ウレタン樹脂等の弾性部材を設けることにより、被験者が生体情報検出装置１を装着した場合に、それぞれが被験者の頸部に密着するようにしてもよい。
【００２７】
透過度算出手段２３は、受光手段２２によって受光された光から被験者の頸動脈での光の透過度を算出する。ここで、光の透過度とは、結果として光の透過度がわかるのであれば、その他の情報であってもよい。例えば、光の吸収度であってもよい。血液の酸素飽和度を算出するために、透過度算出手段２３は、例えば、赤色光（波長が６６０ｎｍ付近の光）と、近赤外光（波長が８８０ｎｍ付近の光）との２つの光の透過度を算出する。
【００２８】
酸素飽和度算出手段２４は、透過度算出手段２３が算出した透過度から、被験者の頸動脈の血液の酸素飽和度を算出する。この算出の方法は、パルスオキシメータの技術として従来から知られており、その詳細な説明を省略する。このようにして、生体情報検出部１２によって、生体情報としての血液の酸素飽和度が検出されることになる。なお、生体情報検出部１２が血液の酸素飽和度を検出する方法は、上記の説明に限定されず、その他の方法によって検出してもよい。
【００２９】
次に、この生体情報検出装置１を使用する方法について簡単に説明する。ここでは、生体情報出力部１３は、無線の通信手段により、生体情報としての血液の酸素飽和度を示す情報を送信するものとする。
【００３０】
まず、被験者が生体情報検出装置１を頸部に装着する。図３は、被験者への生体情報検出装置１の装着状態の一例を示す図である。被験者が生体情報検出装置１を装着した場合に、発光手段２１、及び受光手段２２が被験者の頸動脈の位置に存在していることが好ましい。発光手段２１、及び受光手段２２は、ネックバンド１１の付勢力によって被験者の頸部に密着し、発光手段２１から出射され、頸動脈で反射された光が受光手段２２で受光される。そして、透過度算出手段２３によって頸動脈における光の透過度が算出され、酸素飽和度算出手段２４によって頸動脈の血液の酸素飽和度が算出される。その算出された酸素飽和度は、生体情報出力部１３から送信され、図示しない受信部によって受信され、被験者の酸素飽和度のデータとして蓄積等される。その後、被験者の診察等に、その蓄積等された酸素飽和度のデータを用いることができる。
【００３１】
以上のように、本実施の形態よる生体情報検出装置１では、生体情報検出装置１をネックバンド型とすることにより、被験者への着脱が容易となる。すなわち、生体情報検出装置１を着脱するために、従来例のように服を着替える必要等がなくなる。特に、人間の頸部は太さが異なることがあっても、形はあまり異ならないため、ネックバンド１１を様々の被験者の頸部にフィットさせることは比較的容易である。
【００３２】
また、この生体情報検出装置１によって、無拘束に生体情報を検出することができる。さらに、生体情報検出装置１を頸部に装着する場合には、被験者はあまり気にならないため、比較的無意識に生体情報を検出することができる。それらの結果、長時間の生体情報の検出も可能となりうる。そして、長時間検出された生体情報を用いることにより、被験者の健康状態等をより詳細に診断することができうる。また、無拘束、無意識に生体情報を検出できるため、生体情報の検出に起因する、被験者に与えるストレス等の影響を軽減することができうる。
【００３３】
さらにまた、被験者の頸部に生体情報検出装置１を装着するため、襟のある服を着ている被験者や、髪の長い被験者の場合には、生体情報検出装置１を装着していることが外部から気づかれにくいというメリットもある。
【００３４】
なお、本実施の形態では、生体情報検出部１２が検出する生体情報が血液の酸素飽和度である場合について説明したが、生体情報は、前述のように、血液の酸素飽和度を求めるための情報、例えば、受光手段が受光した光の強度を示す電圧等であってもよい。そのような場合には、出力された生体情報を受け取った装置等において、脈拍数の検出や、血液の酸素飽和度の検出等が行われてもよい。
【００３５】
（実施の形態２）
本発明の実施の形態２による生体情報検出装置について、図面を参照しながら説明する。本実施の形態による生体情報検出装置は、生体情報検出部が心電位信号を検出するものである。
【００３６】
図４は、本実施の形態による生体情報検出装置２の構成を示す図である。図４において、本実施の形態による生体情報検出装置２は、ネックバンド１１と、生体情報出力部１３と、生体情報検出部１４とを備える。ネックバンド１１、及び生体情報出力部１３の構成及び動作は、実施の形態１と同様であり、その説明を省略する。
【００３７】
生体情報検出部１４は、ネックバンド１１に設けられ、被験者がネックバンド１１を装着した場合に被験者の頸部に接触して生体情報を検出するものであるが、本実施の形態では、前述のように、心電位信号を検出する。心電位信号とは、心臓の活動電位に関する信号である。生体情報検出部１４は、ネックバンド１１の中央に設けられた１個の不関電極３１と、ネックバンド１１の両端に設けられた２個の関電極３２と、測定手段３３とを備える。
【００３８】
不関電極３１、及び関電極３２は、心電位信号を検出することができる電極であれば、どのような電極であってもよい。例えば、導電性繊維であってもよく、ゲル電極であってもよく、金属の電極であってもよく、ディスポーザブル電極であってもよい。ここで、導電性繊維とは、導電性を有する繊維のことである。導電性繊維は、例えば、導電性高分子からなる繊維であってもよい。また、導電性繊維は、例えば、ナイロン、ポリエステル、アクリル、綿などの繊維の表面や中芯に、金属やカーボンなどの電気導電性材料を付着させたり練りこんだりした繊維であってもよい。金属は、例えば、銅やアルミニウムであってもよい。この導電性繊維は、皮膚との接触抵抗が小さく、人体に害を及ぼさないものであれば、どのようなものであってもよい。不関電極３１、及び関電極３２が導電性繊維である場合には、電極が被験者の皮膚の形状に沿うこととなり、被験者の皮膚に密着しやすくなり、よりノイズの少ない心電位信号の検出が可能となる。また、不関電極３１、及び関電極３２は、弾性を有するものであってもよい。不関電極３１、及び関電極３２が弾性を有する場合には、被験者の皮膚への密着性をより高めることができ、好適である。
【００３９】
１個の不関電極３１、及び２個の関電極３２は、被験者がネックバンド１１を装着した場合に、それぞれ不関電極領域、及び関電極領域に存在することが好ましい。ここで、不関電極領域とは、被験者の不関電極による測定を行う領域である。また、関電極領域とは、被験者の関電極による測定を行う領域である。
測定手段３３は、不関電極３１と関電極３２とを用いて、被験者の心電位信号を測定する。
【００４０】
図５は、測定手段３３の構成を示すブロック図である。図５において、測定手段３３は、電位差測定部４１，４２と、差動増幅器４３と、ノッチフィルタ４４とを備える。
【００４１】
電位差測定部４１は、不関電極３１と、一方の関電極３２との間の電位を測定する。すなわち、不関電極３１を基準とした一方の関電極３２の電位を測定する。
【００４２】
電位差測定部４２は、不関電極３１と、他方の関電極３２との間の電位を測定する。すなわち、不関電極３１を基準とした他方の関電極３２の電位を測定する。
【００４３】
差動増幅器４３は、電位差測定部４１，４２によって測定されたそれぞれの電位差を２個の入力として差動増幅を行う。
【００４４】
ノッチフィルタ４４は、差動増幅器４３の出力信号に対して、所定の周波数を減衰させるフィルタである。所定の周波数とは、ノイズ源の周波数であり、例えば、交流商用電源の周波数が６０Ｈｚの地域では、６０Ｈｚである。
【００４５】
なお、電位差測定部４１，４２、差動増幅器４３、ノッチフィルタ４４等を用いた心電位信号の測定方法については従来から知られており、その詳細な説明を省略する。
また、生体情報検出装置２の使用方法については、生体情報が心電位信号である以外、実施の形態１と同様であり、その説明を省略する。
【００４６】
以上のように、本実施の形態による生体情報検出装置２においても、生体情報検出装置２をネックバンド型とすることにより、被験者への着脱が容易となる等の実施の形態１と同様の効果が得られることになる。
【００４７】
なお、本実施の形態では、生体情報検出部１２が検出する生体情報が心電位信号である場合について説明したが、生体情報は、前述のように、例えば、不関電極３１と関電極３２との間の電位差を示す情報でもよく、ノッチフィルタ４４による処理を行わない差動増幅器４３が出力した情報であってもよい。そのような場合には、出力された生体情報を受け取った装置等において、心電位信号の検出や、ノッチフィルタによる処理等が行われてもよい。
【００４８】
また、本実施の形態では、３個の電極を用いることにより心電位信号を検出する場合について説明したが、心電位信号を検出するために用いられる電極の数は、上記説明に限定されるものではない。生体情報検出部１４は、２個以上の不関電極や、３個以上の関電極を備えてもよい。また、心電位信号を検出することができるのであれば、各電極の位置も上記説明に限定されるものではない。
【００４９】
また、上記各実施の形態において、マイクロフォンを用いて被験者の口腔または咽喉で発生する音を取得するようにしてもよい。すなわち、図６で示されるように、生体情報検出装置は、マイクロフォン５１と、音声出力部５２とを備えてもよい。マイクロフォン５１は、ネックバンド１１に設けられ、被験者の口腔または咽喉で発生する音を電気信号に変換する。ここで、咽喉とは、咽頭と、喉頭とを含む領域であり、いわゆる「のど」の部分である。被験者の口腔または咽喉で発生する音とは、例えば、会話、笑い、嚥下音、いびき音、咀嚼音、咳きなどである。このようなマイクロフォン５１としては、例えば、米国特許第５７７８０７９号明細書において開示されているものを用いてもよく、被験者の口腔または咽喉で発生する音を取得することができるのであれば、その他のものを用いてもよい。音声出力部５２は、マイクロフォン５１からの電気信号を出力する。ここで、この出力は、例えば、所定の機器への有線または無線の通信回線を介した送信でもよく、記録媒体への蓄積でもよく、出力端子を介して他の機器等にマイクロフォン５１からの電気信号を伝えることでもよい。なお、音声出力部５２は、出力を行うデバイス（例えば、通信デバイスや出力端子など）を含んでもよく、あるいは含まなくてもよい。また、音声出力部５２は、ハードウェア（通信デバイスや出力端子等）によって実現されてもよく、あるいは、それらのデバイスを駆動するドライバ等のソフトウェアによって実現されてもよい。なお、マイクロフォン５１によって被験者の口腔または咽喉で発生する音を取得できるのであれば、マイクロフォン５１、及び音声出力部５２はネックバンド１１のいずれの位置に設けられていてもよい。
【００５０】
このようなマイクロフォン５１と、音声出力部５２とを備えることにより、被験者の口腔または咽喉で発生する音と、被験者の生体情報とを取得することができる。そして、それらを用いて、各種の処理を行ってもよい。例えば、人間は心の底から笑ったときには笑う前よりも笑った後の方が、心拍数が下がることが知られている。一方、愛想笑いのように表層的にしか笑わなかった場合には、笑いの前後での心拍数の変化はあまりない。したがって、特開２００４−２４３０２３号公報に開示されている笑い検出装置等の技術を用いることにより笑いを検出し、実施の形態２で説明したパルスオキシメータ等の技術を用いることによって心拍数を検出し、笑いの前よりも後の方が、心拍数が下がっている場合にのみ、笑いの回数をカウントすることにより、心の底から笑った回数をカウントすることができうる。そして、歩数計で毎日の歩数をチェックするように、笑いの回数を毎日チェックすることにより、健康の維持に役立てることができうる。また、被験者の口腔または咽喉で発生する音を取得することによって、無呼吸症候群の診断、嚥下障害の診断、笑いによるストレスの低減効果の測定等に用いることができうる。
【００５１】
また、上記各実施の形態において、傾斜センサ等を用いて、被験者の姿勢に関する情報を取得するようにしてもよい。すなわち、図７で示されるように、生体情報検出装置は、姿勢情報取得部６１と、姿勢情報出力部６２とを備えてもよい。姿勢情報取得部６１は、ネックバンド１１に設けられ、被験者の姿勢に関する情報である姿勢情報を取得する。姿勢情報取得部６１は、例えば、傾斜センサ等であってもよい。姿勢情報によって、被験者が寝ている状態であるのか、立っている状態であるのかなどが示されることになる。姿勢情報出力部６２は、姿勢情報取得部６１が取得した姿勢情報を出力する。ここで、この出力は、例えば、所定の機器への有線または無線の通信回線を介した送信でもよく、記録媒体への蓄積でもよく、出力端子を介して他の機器等に姿勢情報を伝えることでもよい。なお、姿勢情報出力部６２は、出力を行うデバイス（例えば、通信デバイスや出力端子など）を含んでもよく、あるいは含まなくてもよい。また、姿勢情報出力部６２は、ハードウェア（通信デバイスや出力端子等）によって実現されてもよく、あるいは、それらのデバイスを駆動するドライバ等のソフトウェアによって実現されてもよい。なお、姿勢情報取得部６１によって姿勢情報を取得できるのであれば、姿勢情報取得部６１、及び姿勢情報出力部６２はネックバンド１１のいずれの位置に設けられていてもよい。例えば、傾斜センサにおいて、被験者の立位が０度に設定されており、被験者が寝ている状態が９０度に設定されている場合には、姿勢情報出力部６２から出力された姿勢情報の値が０度に近いのか、あるいは、９０度に近いのかによって、被験者が立位であるのか、あるいは、寝ている状態であるのかを判断することができうる。
【００５２】
このような姿勢情報取得部６１と、姿勢情報出力部６２とを備えることにより、被験者の姿勢と、被験者の生体情報とを取得することができる。そして、それらを用いて、各種の処理を行ってもよい。例えば、姿勢情報出力部６２から出力された姿勢情報によって、被験者が寝ている姿勢であることが示された場合であり、かつ、生体情報出力部１３から出力された生体情報（例えば、血液の酸素飽和度や、心電位信号など）によって被験者が無呼吸状態となっていることが検知された場合（例えば、血液の酸素飽和度がしきい値以下となった場合）には、被験者が睡眠時無呼吸状態となっていることを検出し、それに対応する所定の処理を実行するようにしてもよい。所定の処理とは、例えば、アラームを鳴らすことにより、被験者や被験者の家族を起こすことであってもよい。また、姿勢情報と、生体情報としての血液の酸素飽和度とを用いることによって、睡眠の質の検査等を行うこともできうる。このように、生体情報検出装置は、例えば、生体情報出力部１３から出力された生体情報に基づいて、被験者が無呼吸状態であるかどうか判断する無呼吸判断部と、無呼吸判断部により被験者が無呼吸状態であると判断され、かつ、姿勢情報出力部６２から出力された姿勢情報によって被験者が寝ている状態であると判断された場合に、警告情報を出力する警告出力部とをさらに備えてもよい。警告情報とは、被験者が睡眠時無呼吸状態となっていることを警告する情報であり、例えば、上記説明のアラーム等である。
【００５３】
また、上記各実施の形態において、加速度センサ等を用いて、被験者の動きに関する情報を取得するようにしてもよい。すなわち、図８で示されるように、生体情報検出装置は、動き情報取得部７１と、動き情報出力部７２とを備えてもよい。動き情報取得部７１は、ネックバンド１１に設けられ、被験者の動きに関する情報である動き情報を取得する。動き情報取得部７１は、例えば、加速度センサ等であってもよい。動き情報によって、被験者が止まっているのか、動いているのか、動いている場合に激しく動いているのか、ゆっくりと動いているのかなどが示されることになる。動き情報出力部７２は、動き情報取得部７１が取得した動き情報を出力する。ここで、この出力は、例えば、所定の機器への有線または無線の通信回線を介した送信でもよく、記録媒体への蓄積でもよく、出力端子を介して他の機器等に動き情報を伝えることでもよい。なお、動き情報出力部７２は、出力を行うデバイス（例えば、通信デバイスや出力端子など）を含んでもよく、あるいは含まなくてもよい。また、動き情報出力部７２は、ハードウェア（通信デバイスや出力端子等）によって実現されてもよく、あるいは、それらのデバイスを駆動するドライバ等のソフトウェアによって実現されてもよい。なお、動き情報取得部７１によって動き情報を取得できるのであれば、動き情報取得部７１、及び動き情報出力部７２はネックバンド１１のいずれの位置に設けられていてもよい。例えば、動き情報取得部７１が加速度センサであり、動き情報出力部７２から出力された動き情報の値が０．５Ｇ以上である場合に、被験者が激しく動いていると判断してもよい。
【００５４】
このような動き情報取得部７１と、動き情報出力部７２とを備えることにより、被験者の動きと、被験者の生体情報とを取得することができる。そして、それらを用いて、各種の処理を行ってもよい。例えば、動き情報出力部７２から出力された動き情報によって、被験者が激しい動きをしていることが検知された場合（例えば、動き情報の値がしきい値以上である場合）には、生体情報検出部が被験者の頸部に適切に接触していない可能性が高く、生体情報が適切に検出できていない可能性が高いため、その生体情報を被験者の診断等のために用いないようにしてもよい。このように、生体情報検出装置は、例えば、動き情報出力部７２から出力された動き情報によって被験者の動きがしきい値以上かどうか判断する判断部と、その判断部によって被験者の動きがしきい値以上であると判断された場合に、生体情報出力部１３から出力される生体情報を無効化する無効化部とをさらに備えてもよい。なお、無効化部による生体情報の無効化とは、例えば、生体情報の出力をストップさせることでもよく、生体情報が無効である旨の情報を出力することでもよい。
【００５５】
また、被験者の音声の取得と出力の処理、姿勢情報の取得と出力の処理、動き情報の取得と出力の処理のうち、２以上の処理を、一の生体情報検出装置において実行してもよい。それらを用いることにより、無呼吸症候群の診断、嚥下障害の診断、笑いによるストレスの低減効果の測定等を行うことができうる。
【００５６】
また、生体情報を検出する方法は、上記説明に限定されるものではなく、他の方法を用いてもよい。例えば、生体情報検出装置は、頸動脈の振動を検出することにより心拍数を検出してもよい。
【００５７】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
また、本発明は、以上の実施の形態に限定されることなく、種々の変更が可能であり、それらも本発明の範囲内に包含されるものであることは言うまでもない。
【産業上の利用可能性】
【００５８】
以上より、本発明による生体情報検出装置によれば、生体情報を無拘束に検出することができ、生体情報を検出する装置として有用である。
【図面の簡単な説明】
【００５９】
【図１】本発明の実施の形態１による生体情報検出装置の構成を示す図
【図２】同実施の形態における生体情報検出部の構成を示すブロック図
【図３】同実施の形態における生体情報検出装置の装着状態の一例を示す図
【図４】本発明の実施の形態２による生体情報検出装置の構成を示す図
【図５】同実施の形態における測定手段の構成を示すブロック図
【図６】他の実施の形態における音声を取得する生体情報検出装置の一例を示す図
【図７】他の実施の形態における姿勢情報を取得する生体情報検出装置の一例を示す図
【図８】他の実施の形態における動き情報を取得する生体情報検出装置の一例を示す図
【符号の説明】
【００６０】
１，２  生体情報検出装置
１１  ネックバンド
１２  生体情報検出部
１３  生体情報出力部
１４  生体情報検出部
２１  発光手段
２２  受光手段
２３  透過度算出手段
２４  酸素飽和度算出手段
３１  不関電極
３２  関電極
３３  測定手段
４１，４２  電位差測定部
４３  差動増幅器
４４  ノッチフィルタ
５１  マイクロフォン
５２  音声出力部
６１  姿勢情報取得部
６２  姿勢情報出力部
７１  情報取得部
７２  情報出力部
【図１】
2007202939.tif 000003
【図２】
2007202939.tif 000004
【図４】
2007202939.tif 000005
【図５】
2007202939.tif 000006
【図６】
2007202939.tif 000007
【図７】
2007202939.tif 000008
【図８】
2007202939.tif 000009
【図３】
2007202939.tif 000010